(57)【要約】【課題】  車両と撮像画像との位置関係を容易に判断することができる車両用表示装置を提供すること。【解決手段】  制御回路１１０は、前方カメラ１３１、後方カメラ１３２、左側方カメラ１３３、右側方カメラ１３４にて車両周辺を撮像する。そして、制御回路１１０は、自車両と表示パネル１６１に表示する各カメラ（１３１〜１３４）にて撮像された撮像画像との位置関係をわかりやすくするために、目印画像Ｍの撮像方向に対応する位置に撮像画像表示部１６２を設定し撮像画像を表示する。例えば、前方カメラ１３１にて撮像している時は、目印画像Ｍの前方に撮像画像表示部１６２を設定し撮像画像を表示し、後方カメラ１３２にて車両後方を撮像している時は、目印画像Ｍの後方に撮像画像表示部１６２を設定し撮像画像を表示する。【選択図】        図３
2006035995.tif 000002
【特許請求の範囲】
【請求項１】
画像を表示する表示手段と、
自車両の周辺の複数の方向において画像を撮像する撮像手段と、
前記撮像手段の撮像方向を検出する撮像方向検出手段と、
前記表示手段に前記自車両に関する目印画像を表示すると共に、当該目印画像を基準として前記撮像方向に対応する位置に前記撮像手段にて撮像された画像を表示する表示制御手段と、
を備えることを特徴とする車両用表示装置。
【請求項２】
前記表示制御手段は、前記目印画像の表示位置を固定し、前記撮像手段にて撮像された撮像方向で画像の表示位置を切り換えることを特徴とする請求項１に記載の車両用表示装置。
【請求項３】
前記表示制御手段は、前記目印画像の表示位置を上下方向に移動すると共に、前記撮像手段にて撮像された画像の表示位置を左右方向に切り換えることを特徴とする請求項１に記載の車両用表示装置。
【請求項４】
前記自車両の車速度を検出する車速度センサを備え、前記表示制御手段は、前記車速度が所定値以下の場合は前記目印画像として前記自車両の上面を示す画像を表示し、所定値より速い場合は前記目印画像としてドライバーの視点に則した画像を表示することを特徴とする請求項１乃至請求項３のいずれかに記載の車両用表示装置。
【請求項５】
前記表示制御手段は、前記撮像手段が前記自車両の前方を撮像している場合、当該撮像手段にて撮像された画像を前記ドライバーの視点に則した画像のフロントガラスに対応する位置に表示することを特徴とする請求項４に記載の車両用表示装置。
【請求項６】
前記自車両への接近物を検出する接近物検出手段を備え、前記表示制御手段は、前記接近物が検出されると前記撮像手段にて撮像される当該接近物の接近方向の画像を表示することを特徴とする請求項１乃至請求項５のいずれかに記載の車両用表示装置。
【請求項７】
前記表示制御手段は、前記接近物が検出されると前記目印画像の当該接近物の接近方向に対応する位置に注意喚起を示す画像を表示することを特徴とする請求項６に記載の車両用表示装置。
【請求項８】
前記目印画像は後方視認ミラー画像を含むものであり、前記表示制御手段は、前記注意喚起を示す画像を前記接近物の接近方向に対応する方向の後方視認ミラー画像に表示することを特徴とする請求項７に記載の車両用表示装置。
【請求項９】
前記自車両の前方を走行している前方車両との車間距離を検出する車間距離検出手段を備え、前記撮像手段は、前記前方車両との車間距離が検出されると当該前方車両を撮像するものであり、前記表示制御手段は、前記撮像手段にて撮像される前記前方車両の画像と共に、当該前方車両の画像と前記目印画像との間に前記車間距離を示す画像を表示することを特徴とする請求項１乃至請求項８のいずれかに記載の車両用表示装置。
【請求項１０】
前記目印画像は、ハンドルを示す画像を含むことを特徴とする請求項９に記載の車両用表示装置。
【請求項１１】
前記表示手段は、基本形状の一部を切り欠いた形状を表示範囲とする少なくとも２つの第１の表示部と、前記第１の表示部間に設けられると共に、表示範囲として前記第１の表示部の切り欠かれた部位を含む第２の表示部とを備え、前記表示制御手段は、計器を示す画像を前記第１の表示部に表示すると共に、前記目印画像、前記撮像手段にて撮像された画像、前記車間距離を示す画像、前記注意喚起を示す画像を前記第２の表示部に表示することを特徴とする請求項１乃至請求項１０のいずれかに記載の車両用表示装置。
【請求項１２】
前記表示手段は、表示パネルに画像表示されるものであり、当該表示パネルはフラットパネルであることを特徴とする請求項１乃至請求項１１いずれかに記載の車両用表示装置。
【発明の詳細な説明】
【技術分野】
【０００１】
本発明は、車両用表示装置に関するものである。
【背景技術】
【０００２】
従来、車両周辺の状況を表示する車両用表示装置として特許文献１に示すものがある。特許文献１における車両用表示装置は、３台の撮像カメラ、制御部、表示部などを備える。３台の撮像カメラのうち、１台の撮像カメラはバックミラーに映る像と同じものを撮像するものであり、他の２台の撮像カメラは左右のサイドミラーに映る像と同じものを撮像するものである。制御部は、表示部の表示を制御するものであり、３台の撮像カメラで撮像した自動車の背後の画像及び左右の後方の画像を表示部に表示する。また、撮像カメラで撮像した画像を表示する際に、制御部は、表示部の上部にはバックミラーの像と略同等の画像を表示し、下部左側には左サイドミラーの像と略同等の画像を表示し、下部右側には右サイドミラーの像と略同等の画像を表示する。
【特許文献１】特開２００３−３０６０５７号公報
【発明の開示】
【発明が解決しようとする課題】
【０００３】
しかしながら、撮像カメラで撮像した画像を表示部に表示する際には、表示部における表示位置を撮像方向に対応させているだけであり、車両と撮像画像との位置関係が判断しにくい場合があった。
【０００４】
本発明は、上記問題点に鑑みなされたものであり、車両と撮像画像との位置関係を容易に判断することができる車両用表示装置を提供することを目的とする。
【課題を解決するための手段】
【０００５】
上記目的を達成するために請求項１に記載の車両用表示装置は、画像を表示する表示手段と、自車両の周辺の複数の方向において画像を撮像する撮像手段と、撮像手段の撮像方向を検出する撮像方向検出手段と、表示手段に自車両に関する目印画像を表示すると共に、目印画像を基準として撮像方向に対応する位置に撮像手段にて撮像された画像を表示する表示制御手段とを備えることを特徴とするものである。
【０００６】
このように、表示手段に自車両に関する目印画像を表示し、その目印画像の撮像方向に対応する位置に撮像手段にて撮像された画像を表示することによって、自車両と撮像画像との位置関係を容易に判断することができる。
【０００７】
また、請求項２に記載の車両用表示装置では、表示制御手段は、目印画像の表示位置を固定し、撮像手段にて撮像された撮像方向で画像の表示位置を切り換えることを特徴とするものである。
【０００８】
このように、表示手段における目印画像の表示位置を固定し、撮像手段にて撮像された画像の表示位置を切り換えることによって、撮像方向の変化に伴って目印画像と撮像画像との位置関係が変化しても、目印画像の位置は固定されているので目印画像を探す必要がなく、より一層車両と撮像画像との位置関係を容易に判断することができる。
【０００９】
また、請求項３に記載の車両用表示装置では、表示制御手段は、目印画像の表示位置を上下方向に移動すると共に、撮像手段にて撮像された画像の表示位置を左右方向に切り換えることを特徴とするものである。
【００１０】
このように、目印画像の表示位置を上下方向に移動させ、撮像手段にて撮像された画像の表示位置を左右方向に切り換えることによって、左右方向の表示領域に比べて上下方向の表示領域が小さい横長の表示手段であっても、できるだけ目印画像の移動を少なくすることができる。
【００１１】
また、請求項４に示すように、目印画像を車速度が所定値以下の場合は自車両の上面を示す画像とし、車速度が所定値より速い場合はドライバーの視点に則した画像とすることによって、車両の走行状態に応じて適切に車両と撮像画像との位置関係を判断することができる。
【００１２】
また、請求項５に記載の車両用表示装置では、表示制御手段は、撮像手段が自車両の前方を撮像している場合、撮像手段にて撮像された画像をドライバーの視点に則した画像のフロントガラスに対応する位置に表示することを特徴とするものである。
【００１３】
このように、撮像手段にて撮像された画像をドライバーの視点に則した画像のフロントガラスに対応する位置に表示することによって、実際にドライバーが見ているように撮像画像を表示することができる。
【００１４】
また、請求項６に記載の車両用表示装置では、自車両への接近物を検出する接近物検出手段を備え、表示制御手段は、接近物が検出されると撮像手段にて撮像される接近物の接近方向の画像を表示することを特徴とするものである。
【００１５】
このように、自車両への接近物が存在する場合は、撮像手段にて撮像される接近物の接近方向の画像を表示することによって、ドライバーに対して注意喚起を行うことができる。
【００１６】
また、請求項７に示すように、自車両への接近物が存在する場合は、目印画像の接近物の接近方向に対応する位置に注意喚起を示す画像を表示することによっても、ドライバーに対して注意喚起を行うことができる。また、注意喚起を示す画像は、請求項８に示すように目印画像に含まれる後方視認ミラー画像、例えばバックミラーやサイドミラーなどに表示すると注意を促すのに効果的である。
【００１７】
また、請求項９に記載の車両用表示装置では、自車両の前方を走行している車両との車間距離を検出する車間距離検出手段を備え、撮像手段は、前方車両との車間距離が検出されると前方車両を撮像するものであり、表示制御手段は、撮像手段にて撮像される前方車両の画像と共に、前方車両の画像と目印画像との間に車間距離を示す画像を表示することを特徴とするものである。
【００１８】
このように、撮像手段にて撮像される前方車両の画像と共に、前方車両の画像と目印画像との間に車間距離を示す画像を表示することによって、前方車両と自車両との車間距離が把握しやすくなる。また、請求項１０に示すように、目印画像にハンドルを示す画像を含むことによって、前方車両と自車両との位置関係が把握しやすくなる。
【００１９】
また、請求項１１に記載の車両用表示装置では、表示手段は、基本形状の一部を切り欠いた形状を表示範囲とする少なくとも２つの第１の表示部と、第１の表示部間に設けられると共に、表示範囲として第１の表示部の切り欠かれた部位を含む第２の表示部とを備え、表示制御手段は、計器を示す画像を第１の表示部に表示すると共に、目印画像、撮像手段にて撮像された画像、車間距離を示す画像、注意喚起を示す画像を第２の表示部に表示することを特徴とするものである。
【００２０】
このように、基本形状の一部を切り欠いた形状を表示範囲とする少なくとも２つの第１の表示部に計器を示す画像を表示し、本来であれば第１の表示部の表示範囲である部位に渡って設けられた第２の表示部に目印画像などを表示することによって、計器と撮像画像などとの目線の移動を少なくしつつ、撮像画像などをできるだけ大きく表示することができる。
【００２１】
また、請求項１２に示すように。表示手段は、表示パネルに画像表示されるものであり、その表示パネルはフラットパネル構成することにより、請求項１〜１１に記載の画像表示をフラットパネルにて行うことができる。
【発明を実施するための最良の形態】
【００２２】
以下、本発明の実施の形態を図に基づいて説明する。尚、以下の実施形態においては、複数の表示部における表示が、共通の表示パネルに画像を表示することによってなされるように構成される例を示す。
【００２３】
（第１の実施形態）
図１は、本発明の第１の実施形態における車両用表示装置の概略構成の一例を示すブロック図である。図１に示すように、本実施形態の車両用表示装置１００は、状態検出部１２０、撮像装置１３０、操作デバイス１４０、外部メモリ１５０、表示部１６０、音声入出力部１７０、リモコンセンサ１８０、及びこれらに接続された制御回路１１０を備えている。
【００２４】
制御回路１１０は、通常のコンピュータとして構成されており、内部には周知のＣＰＵ、ＲＯＭ、ＲＡＭ、Ｉ／Ｏ及びこれらの構成を接続するバスラインが備えられている。ＲＯＭには、制御回路１１０が実行するためのプログラムが書き込まれており、このプログラムに従って、ＣＰＵ等が画像の表示位置の変更などの演算処理を実行する。尚、このプログラムは、外部メモリ１５０を介して外部から取得することも可能である。また、制御回路１１０には、エンジンの始動及び停止を制御するためのスイッチであるイグニッションＳＷ２００が接続される。
【００２５】
状態検出部１２０は、例えば車速やエンジン回転数など車両の状態を検出するものである。すなわち、車両の走行に関する情報を取得する取得部である。本実施形態においては、状態検出部１２０として、少なくとも、トランスミッション出力軸の回転数を検出する車速センサ１２１と、エンジンのクランクシャフト（或いはカムシャフト）の回転数を検出する回転センサ１２２と、燃料タンク内の残燃料を検出する液面センサ１２３と、エンジン冷却水の温度を検出する温度センサ１２４を備えている。
【００２６】
撮像装置１３０は、ＣＣＤなどの固体撮像素子からなる前方カメラ１３１、後方カメラ１３２、左側方カメラ１３３、右側方カメラ１３４などを備える。この撮像装置１３０は、自車両の運転席に着座したドライバーから死角となる部位、具体的には車両前方、車両左右両側のフロント／リヤタイヤを含むそのタイヤ周辺、及び車両後方を撮像する。
【００２７】
操作デバイス１４０は、車両用表示装置１００が実行する表示部１６０の輝度の調整などの機能に対応付けられた操作信号を制御回路１１０に入力するためのものである。この操作デバイス１４０は、表示部１６０と一体に構成され表示画面上に設定されるタッチスイッチ、もしくは表示部１６０の周囲に設けられたメカニカルなキースイッチ等を備える。
【００２８】
外部メモリ１５０は、指針の変化によって計測量を表示するアナログ式メータ画像のうち、指針の背景画像となる文字盤データ（目盛り、文字等）を記憶すると共に、本実施形態の特徴である目印画像Ｍを表示するための目印画像データを記憶する。尚、文字盤データ及び／又は目印画像Ｍは、上記外部メモリ１５０以外にも、制御回路１１０を構成するＲＯＭに記憶させておくことも可能である。
【００２９】
表示部１６０は、ＴＦＴ型液晶パネル、有機ＥＬパネル、プラズマパネル等のフラットパネルからなる表示パネル１６１などを備える。表示パネル１６１の画面には、制御回路１１０の処理により、例えば状態検出部１２０から入力された計測量や、撮像装置１３０にて撮像された車両周辺の画像などを表示する。
【００３０】
音声入出力部１７０は、図示しない入力装置及び出力装置から構成される。入力装置は、ユーザの発話内容を認識して、車両用表示装置１００の各種入力に用いるものである。一方、出力装置は、スピーカやオーディオアンプ等から構成されるものである。
【００３１】
また、本実施形態の車両用表示装置１００は、リモートコントロール端末（以下リモコンと示す）１９０からの赤外線信号などを受信するリモコンセンサ１８０を有している。リモコンセンサ１８０は、リモコン１９０から送信される赤外線信号を受信すると、受信した赤外線信号に応じて制御回路１１０が実行する機能に対応付けられた操作信号を制御回路１１０に入力する。
【００３２】
ここで、本実施の形態における車両用表示装置１００の動作について説明する。図２は、本発明の第１の実施形態における車両用表示装置の動作を示すフロー図である。図３は、表示部への撮像画像と目印画像との表示例を示す模式図であり、（ａ）は撮像方向が前方である場合、（ｂ）は撮像方向が後方である場合を示す図である。図４は、表示部への撮像画像と目印画像との表示例を示す模式図であり、（ａ）は撮像方向が左側方である場合、（ｂ）は撮像方向が右側方である場合を示す図である。図５は、目印画像の変形例を示す模式図である。図６は、撮像画像と目印画像の表示の変形例を示す模式図であり、（ａ）は撮像方向が前方である場合、（ｂ）は撮像方向が後方である場合、（ｃ）は撮像方向が左右側方である場合を示す図である。図７は、車両が走行中の表示部への撮像画像と目印画像との表示例を示す模式図であり、（ａ）は撮像方向が前方である場合、（ｂ）は撮像方向が後方である場合を示す図である。図８は、車両が走行中の表示部への撮像画像と目印画像との表示例を示す模式図であり、（ａ）は撮像方向が左側方である場合、（ｂ）は撮像方向が右側方である場合を示す図である。
【００３３】
図２に示すフローは、車両のイグニッションＳＷ２００がオン状態になると実行され、車両のイグニッションＳＷ２００がオフ状態になると終了する。
【００３４】
まずステップＳ１では、制御回路１１０は、撮像装置１３０にて車両の周辺を撮像し、その撮像画像と共に目印画像Ｍを表示パネル１６１に表示する。制御回路１１０は、前方カメラ１３１、後方カメラ１３２、左側方カメラ１３３、右側方カメラ１３４の順で所定間隔毎に車両周辺を撮像する。そして、制御回路１１０は、各カメラ（１３１〜１３４）から出力される撮像画像信号を表示部１６０にて表示可能な画像信号に変換し、その画像信号を表示部１６０に出力することによって表示パネル１６１に撮像画像表示部１６２を設定し撮像画像を表示する。さらに、制御回路１１０は、撮像画像を表示パネル１６１に表示する際に自車両に関する目印画像Ｍを表示する。この撮像画像と目印画像Ｍを表示する際には、自車両と表示部１６０に表示する撮像画像との位置関係をわかりやすくするために、目印画像Ｍを基準として撮像方向に対応する位置に撮像画像表示部１６２を設定し撮像画像を表示する。
【００３５】
具体的には、図３（ａ）に示すように、表示パネル１６１の所定位置に、状態検出部１２０による検出値を指針の変化によって画像表示するアナログ式メータ表示部として、速度計表示部１６３、回転計表示部１６４、燃料計表示部１６５、及び水温計表示部１６６を有する。そして、前方カメラ１３１にて車両前方を撮像している時は、目印画像Ｍの前方（紙面上方）に撮像画像表示部１６２を設定し撮像画像を表示する。また、後方カメラ１３２にて車両後方を撮像している時は、図３（ｂ）に示すように、目印画像Ｍの後方（紙面下方）に撮像画像表示部１６２を設定し撮像画像を表示する。
【００３６】
さらに、左側方カメラ１３３にて車両左側方を撮像している時は、図４（ａ）に示すように、目印画像Ｍの左側方に撮像画像表示部１６２を設定し撮像画像を表示する。右側方カメラ１３４にて車両右側方を撮像している時は、図４（ｂ）に示すように、目印画像Ｍの右側方に撮像画像表示部１６２を設定し撮像画像を表示する。従って、イグニッションＳＷ２００がオン状態になると、図３（ａ）、図３（ｂ）、図４（ａ）、図４（ｂ）の順で所定間隔毎に車両の前後左右の撮像画像及び目印画像Ｍが表示パネル１６１に表示される。
【００３７】
なお、図３（ａ）（ｂ）及び図４（ａ）（ｂ）においては、目印画像Ｍとして車両の上面を示す画像を用いたが、この目印画像Ｍは、図５に示すようなドライバーの視点に則した画像としてもよい。すなわち、ドライバーが運転席に着座して正面を向いた場合に視界に入るような画像であり、フロントガラス、サイドミラー、バックミラー、ハンドル、インストルメントパネルなどを含む画像である。
【００３８】
また、図３（ａ）（ｂ）及び図４（ａ）（ｂ）においては、目印画像Ｍの表示位置を撮像画像表示部１６２の表示位置にあわせて前後左右方向（紙面上下左右方向）に移動させる例を用いて説明したが、目印画像Ｍの表示位置を前後方向（紙面上下方向）にのみ移動させるようにしてもよい。この場合、前方カメラ１３１にて車両前方を撮像している時は、図６（ａ）に示すように目印画像Ｍの表示位置を後方向（紙面下方向）に移動させる。
後方カメラ１３２にて車両前方を撮像している時は、図６（ｂ）に示すように目印画像Ｍの表示位置を前方向（紙面上方向）に移動させる。そして、左側方カメラ１３３及び右側方カメラ１３４にて車両前方を撮像している時は、図６（ｃ）に示すように目印画像Ｍの表示位置を固定して、撮像画像表示部１６２を左右方向（紙面左右方向）に移動させる。
【００３９】
なお、以下撮像画像と目印画像Ｍとを死角確認画像とも称すると共に、その死角確認画像を表示している領域、すなわち速度計表示部１６３と回転計表示部１６４との間のスペースをマルチ表示部とも称する。
【００４０】
ステップＳ２では、制御回路１１０は、車速センサ１２１によって車速度を検出する。これは、上述の死角確認画像を表示するか否かを判定するためである。上述の死角確認画像に示す撮像画像及び目印画像Ｍの表示は、自車両を出発させる際の車両前方の障害物の有無、道路の左端の近くまで幅寄せする際や狭い道路を走行する際の道路端の側溝などの有無や路肩の段差、後退しながら駐停車する際の車両後方の状況などのドライバーから死角となる部位をドライバーに伝えるためである。このような状況の場合、自車両は停止している状態かもしくは徐行（例えば、５ｋｍ／ｈ）している状態である。従って、車速度を検出することによって死角確認画像を表示するか否かを判定することができる。
【００４１】
ステップＳ３では、制御回路１１０は、ステップＳ２にて検出した車速度が所定車速度以内であるか否かを判定する。そして、制御回路１１０は、検出した車速度が所定車速度以内でないと判定した場合は死角確認画像を表示する状況でないとみなしてステップＳ４へ進み、検出した車速度が所定車速度以内であると判定した場合は死角確認画像を表示する状況であるとみなしてステップＳ１へもどる。
【００４２】
ステップＳ４では、制御回路１１０は、前方カメラ１３１、後方カメラ１３２、左側方カメラ１３３、右側方カメラ１３４からの撮像画像信号の出力を停止し、マルチ表示部の死角確認画像の表示をオフにする。この場合、制御回路１１０は、マルチ表示部に図示しないナビゲーション装置による案内経路、シフトレンジ画像などを表示するようにしてもよい。
【００４３】
ステップＳ５では、制御回路１１０は、接近車両が存在する場合は、自車両のドライバーに対して注意喚起を行うために自車両への接近車両を検出する。制御回路１１０は、前方カメラ１３１、後方カメラ１３２によって撮像された画像をＲＡＭなどに順次記憶していき、その記憶した画像から所定時間Δｔ前後して得た２画像中の同一物の移動量を検出するなどの処理を行うオプティカルフロー（動きベクトル）法を用いて接近車両を検出する。
【００４４】
ステップＳ６では、制御回路１１０は、ステップＳ５での検出結果に基づいて自車両との距離が所定距離内になった車両が存在するか否かによって接近車両の有無を判定し、接近車両が有ると判定した場合は注意喚起が必要であるとみなしてステップＳ７へ進み。接近車両がないと判定した場合は注意喚起は必要ないとみなしてステップＳ８へ進む。
【００４５】
ステップＳ７では、制御回路１１０は、ステップＳ５にて検出された接近車両を含む画像（以下、接近車両画像とも称する）を目印画像Ｍと共に表示パネル１６１に表示する。制御回路１１０は、前方カメラ１３１もしくは後方カメラ１３２から出力される撮像画像信号を表示部１６０にて表示可能な画像信号に変換し、その画像信号を表示部１６０に出力することによって表示パネル１６１のマルチ表示部に撮像画像表示部１６２を設定し接近車両画像を表示する。
【００４６】
さらに、制御回路１１０は、撮像画像を表示パネル１６１に表示する際に自車両に関する目印画像Ｍを表示する。この撮像画像と目印画像Ｍを表示する際には、自車両と表示部１６０に表示する撮像画像との位置関係をわかりやすくするために、目印画像Ｍの撮像方向に対応する位置に撮像画像表示部１６２を設定し撮像画像を表示する。なお、自車両が停止している状態かもしくは徐行（例えば、５ｋｍ／ｈ）している状態以外の状態の場合は、目印画像Ｍをドライバーの視点に則した画像、すなわちドライバーが運転席に着座して正面を向いた場合に視界に入るような画像とするとよい。
【００４７】
具体的には、図７（ａ）に示すように、表示パネル１６１の所定位置に、状態検出部１２０による検出値を指針の変化によって画像表示するアナログ式メータ表示部として、速度計表示部１６３、回転計表示部１６４、燃料計表示部１６５、及び水温計表示部１６６を有する。そして、自車両の前方の所定距離内に車両が存在する場合は、目印画像Ｍのフロントガラスに対応する位置に撮像画像表示部１６２を設定し前方カメラ１３１にて撮像された接近車両画像を表示する。
【００４８】
また、自車両の同一車線の後方の所定距離内に車両が存在する場合は、図７（ｂ）に示すように、目印画像Ｍの後方（紙面下方）に撮像画像表示部１６２を設定し後方カメラ１３２にて撮像された同一車線の後方から接近してくる車両を含む接近車両画像を表示する。
【００４９】
さらに、自車両の左側車線の後方の所定距離内に車両が存在する場合は、図８（ａ）に示すように、目印画像Ｍの左側方に撮像画像表示部１６２を設定し後方カメラ１３２にて撮像された自車両の左側車線の後方から接近してくる車両を含む接近車両画像を表示する。また、自車両の右側車線の後方の所定距離内に車両が存在する場合は、図８（ｂ）に示すように、目印画像Ｍの右側方に撮像画像表示部１６２を設定し後方カメラ１３２にて撮像された自車両の右側車線の後方から接近してくる車両を含む接近車両画像を表示する。
【００５０】
ステップＳ８では、制御回路１１０は、前方カメラ１３１、後方カメラ１３２、左側方カメラ１３３、右側方カメラ１３４からの撮像画像信号の出力を停止し、マルチ表示部の接近表示画像の表示をオフにする。この場合、制御回路１１０は、マルチ表示部に図示しないナビゲーション装置による案内経路、シフトレンジ画像などを表示するようにしてもよい。また、接近表示画像を表示する前に案内経路、シフトレンジ画像を表示していた場合は、その画像を表示するようにしてもよい。
【００５１】
なお、自車両の同一車線の後方、左側車線の後方及び右側車線の後方の所定距離内に車両が存在する場合は、目印画像Ｍに含まれるバックミラー、サイドミラーによって注意喚起を行うようにしてもよい。例えば、同一車線の後方に接近車両が存在場合はバックミラーの色を変えたり、バックミラーを点灯させたり、バックミラーを点滅させたりなどバックミラーの表示形態を変えて注意喚起を行う。そして、自車両の左右側車線に接近車両が存在する場合は、存在する方のサイドミラーの色を変えたり、サイドミラーを点灯させたり、サイドミラーを点滅させたりなどサイドミラーの表示形態を変えて注意喚起を行う。
【００５２】
また、自車両の同一車線の後方の所定距離内に車両が存在する場合は、目印画像Ｍに含まれるバックミラーの位置に接近車両画像を表示するようにしてもよい。また、自車両の左側車線の後方及び右側車線の後方の所定距離内に車両が存在する場合は、目印画像Ｍに含まれるサイドミラーの位置に接近車両画像を表示するようにしてもよい。
【００５３】
（第２の実施の形態）
次に、本発明の第２の実施形態を図９に基づいて説明する。図９は、本発明の第２の実施形態における表示部への撮像画像と目印画像との表示例を示す模式図である。
【００５４】
第２の実施形態における車両用表示装置１００は、第１の実施形態によるものと共通するところが多いので、以下、共通部分については詳しい説明は省略し、異なる部分を重点的に説明する。
【００５５】
第２の実施形態において、第１の実施形態と異なる点は、オートクルーズ装置が搭載された車両に本発明の車両用表示装置１００を適用した点である。すなわち、オートクルーズ装置によって、自車両と前方車両との車間距離を表示パネル１６１に表示する場合に、本発明の車両用表示装置１００を適用するものである。
【００５６】
オートクルーズ装置は、セットスイッチ、キャンセルスイッチ、車間距離センサ、車両信号送出手段、追従制御用コントローラ、エンジン出力制御装置、変速機制御装置、制動制御装置などを備える。追従制御用コントローラは、車両用表示装置１００の制御回路１１０と接続される。
【００５７】
追従制御用コントローラは、セットスイッチが操作されると車間追従制御を開始すると共に、キャンセルスイッチが操作されると車間追従制御を解除する。また、追従制御用コントローラは、セットスイッチが操作された時点の自車両の車速度を設定車速度とする。
【００５８】
追従制御用コントローラは、車間追従制御を開始すると車間距離センサによる前方車両捕捉と共に、前方カメラ１３１による前方車両の撮像を開始する。この車間距離センサは、レーザーレーダやミリ波レーダ等により前方車両の有無と、前方車両の存在が検出されたときの送受時間により自車両と前方車両との車間距離を計測する。
【００５９】
追従制御用コントローラは、車両信号送出手段からの検出信号によってオートマチックトランスミッションがドライブレンジであると判定した場合、車間距離センサからの情報により前方車両の有無と車間距離と相対速度を測定する。そして、前方車両が存在しないときは、設定車速度で定速走行するためにエンジン出力制御装置、変速機制御装置、制動制御装置に定速走行駆動信号を出力する。設定車速度より速い前方車両がいると、設定車速度を上限とし、車間距離を保ちながら前方車両に追従走行するためにエンジン出力制御装置、変速機制御装置、制動制御装置に追従走行駆動信号を出力する。さらに、設定車速度より遅い前方車両が現れたときは減速走行するためにエンジン出力制御装置、変速機制御装置、制動制御装置に減速走行駆動信号を出力する。また、設定車速度より遅い前方車両がいなくなったときは、設定車速度までゆっくりと加速走行するためにエンジン出力制御装置、変速機制御装置、制動制御装置に加速走行駆動信号を出力する。
【００６０】
エンジン出力制御装置、変速機制御装置、制動制御装置は、追従制御用コントローラからの定速走行駆動信号、追従走行駆動信号、減速走行駆動信号、加速走行駆動信号に応じて、電子制御スロットルバルブの開閉によるエンジン出力の制御、変速機の変速段制御、ブレーキ液圧による制動制御の少なくとも一つの制御を実行する。
【００６１】
そして、車両用表示装置１００の制御回路１１０は、図９に示すように表示パネル１６１のマルチ表示部に目印画像Ｍを表示すると共に、その目印画像Ｍの前方（紙面上方）に撮像画像表示部１６２を設定し撮像画像を表示する。さらに、撮像画像表示部１６２には、車間距離センサによる前方車両との車間距離に応じた距離ガイド画像Ｉを撮像画像に重ねて表示する。また、第２の実施形態における目印画像Ｍとしては、前方車両との位置関係（車間距離）をドライバーに把握しやすくするために、目印画像Ｍにハンドルを示す画像を含むようにするとよい。
【００６２】
なお、表示部１６０に大画面の表示パネル１６１を用いる場合や、表示パネル１６１に速度計表示部１６３、回転計表示部１６４、燃料計表示部１６５、及び水温計表示部１６６などを表示しない場合は、目印画像Ｍ及び撮像画像表示部１６２の表示スペースも大きくできる。従って、目印画像Ｍの表示位置を固定し、撮像画像表示部１６２の表示位置のみを移動させるようにしてもよい。
【００６３】
具体的には、図１０に示すように、目印画像Ｍを表示パネル１６１の略中央に固定表示する。そして、撮像されるカメラ（１３１〜１３４）に応じて撮像画像表示部１６２を撮像画像表示部１６２ａ〜１６２ｄに移動させて表示する。前方カメラ１３１にて撮像している時は撮像画像表示部１６２ａに撮像画像を表示し、後方カメラ１３２にて撮像している時は撮像画像表示部１６２ｂに撮像画像を表示し、左側方カメラ１３３にて撮像している時は撮像画像表示部１６２ｃに撮像画像を表示し、右側方カメラ１３４にて撮像している時は撮像画像表示部１６２ｄに撮像画像を表示する。
【図面の簡単な説明】
【００６４】
【図１】本発明の第１の実施形態における車両用表示装置の概略構成の一例を示すブロック図である。
【図２】本発明の第１の実施形態における車両用表示装置の動作を示すフロー図である。
【図３】表示部への撮像画像と目印画像との表示例を示す模式図であり、（ａ）は撮像方向が前方である場合、（ｂ）は撮像方向が後方である場合を示す図である。
【図４】表示部への撮像画像と目印画像との表示例を示す模式図であり、（ａ）は撮像方向が左側方である場合、（ｂ）は撮像方向が右側方である場合を示す図である。
【図５】目印画像の変形例を示す模式図である。
【図６】撮像画像と目印画像の表示の変形例を示す模式図であり、（ａ）は撮像方向が前方である場合、（ｂ）は撮像方向が後方である場合、（ｃ）は撮像方向が左右側方である場合を示す図である。
【図７】車両が走行中の表示部への撮像画像と目印画像との表示例を示す模式図であり、（ａ）は撮像方向が前方である場合、（ｂ）は撮像方向が後方である場合を示す図である。
【図８】車両が走行中の表示部への撮像画像と目印画像との表示例を示す模式図であり、（ａ）は撮像方向が左側方である場合、（ｂ）は撮像方向が右側方である場合を示す図である。
【図９】本発明の第２の実施形態における表示部への撮像画像と目印画像との表示例を示す模式図である。
【図１０】本発明の変形例における表示部への撮像画像と目印画像との表示例を示す模式図である。
【符号の説明】
【００６５】
１００・・・車両用表示装置
１１０・・・制御回路
１２０・・・状態検出部
１３０・・・撮像装置
１４０・・・操作デバイス
１５０・・・外部メモリ
１６０・・・表示部
１６１・・・表示パネル
１６２・・・撮像画像表示部
１６３・・・車速計表示部
１６４・・・回転計表示部
１６５・・・燃料計表示部
１６６・・・水温計表示部
Ｉ・・・距離ガイド画像
Ｍ・・・目印画像
【図１】
2006035995.tif 000003
【図２】
2006035995.tif 000004
【図３】
2006035995.tif 000005
【図４】
2006035995.tif 000006
【図５】
2006035995.tif 000007
【図６】
2006035995.tif 000008
【図７】
2006035995.tif 000009
【図８】
2006035995.tif 000010
【図９】
2006035995.tif 000011
【図１０】
2006035995.tif 000012